(57)【要約】【課題】励起光の照射に併せて、照明光の光量を自動的に調整し得るようにした新規な歯科用照明装置及び歯科診療装置を提供する。【解決手段】患者の口腔内を照明する照明装置５であって、照明光照射手段８０と、照明光量制御部８ｂと、口腔内の非健全部より蛍光を放射させる励起光照射手段９０と、該励起光照射手段９０の状態を検出する検出制御部９ｂと、該検出制御部９ｂの状態検出情報に基づき前記照明光量制御部８ｂへ信号を出力する信号出力部９ｃとを備え、照明光量制御部８ｂは、前記信号出力部９ｃからの出力信号に基づいて照明光の光量を調節するようにしたことを特徴とする。【選択図】図７
2006345908.tif 000002
【特許請求の範囲】
【請求項１】
患者の口腔内を照明する歯科用照明装置であって、
照明光照射手段と、照明光量制御部と、口腔内の非健全部より蛍光を放射させる励起光照射手段と、該励起光照射手段の状態を検出する検出制御部と、該検出制御部の状態検出情報に基づき前記照明光量制御部へ信号を出力する信号出力部とを備え、照明光量制御部は、前記信号出力部からの出力信号に基づいて照明光の光量を調節するようにしたことを特徴とする歯科用照明装置。
【請求項２】
請求項１に記載の歯科用照明装置において、
前記励起光照射手段は、励起光を点灯・消灯する為のスイッチを備え、前記検出制御部による状態検出情報は、このスイッチのオン・オフ情報であることを特徴とする歯科用照明装置。
【請求項３】
請求項２に記載の歯科用照明装置において、
前記照明光量制御部は、照明光が点灯中における前記検出制御部によるスイッチのオン情報により照明光の光量を下げ、その後の当該スイッチのオフ情報により照明光の光量を元の状態に戻すよう制御するものであることを特徴とする歯科用照明装置。
【請求項４】
請求項２又は３に記載の歯科用照明装置において、
前記励起光を点灯・消灯する為のスイッチは、前記励起光照射手段と分離して設けられていることを特徴とする歯科用照明装置。
【請求項５】
患者の口腔内を照明する歯科用照明装置と、口腔内の非健全部より蛍光を放射させる励起光照射装置とを備えた歯科診療装置であって、
上記照明装置は、照明光照射手段と、照明光量制御部とを備え、一方上記励起光照射装置は、励起光照射器と、該照射器の状態を検出する検出制御部と、該検出制御部の状態検出情報に基づき前記照明光量制御部へ信号を出力する信号出力部とを備え、照明光量制御部は、前記信号出力部からの出力信号に基づいて照明光の光量を調節するようにしたことを特徴とする歯科診療装置。
【請求項６】
請求項５に記載の歯科診療装置において、
前記励起光照射装置は、励起光を点灯・消灯する為のスイッチを備え、前記検出制御部による状態検出情報は、このスイッチのオン・オフ情報であることを特徴とする歯科診療装置。
【請求項７】
請求項６に記載の歯科診療装置において、
前記照明光量制御部は、照明光が点灯中における前記検出制御部によるスイッチのオン情報により照明光の光量を下げ、その後の当該スイッチのオフ情報により照明光の光量を元の状態に戻すよう制御するものであることを特徴とする歯科診療装置。
【請求項８】
請求項６又は７に記載の歯科診療装置において、
前記励起光を点灯・消灯する為のスイッチは、前記励起光照射装置と分離して設けられていることを特徴とする歯科診療装置。
【請求項９】
請求項５に記載の歯科診療装置において、
前記励起光照射器は、前記検出制御部を有する専用ホルダーに着脱自在に設置され、上記検出制御部による状態検出情報は、該専用ホルダーにおける励起光照射器の設置状態の検出情報であることを特徴とする歯科診療装置。
【請求項１０】
請求項９に記載の歯科診療装置において、
前記照明光量制御部は、照明光が点灯中における前記検出制御部による励起光照射器が専用ホルダーから取外されたとの情報により照明光の光量を下げ、その後の励起光照射器の専用ホルダーへの設置情報により照明光の光量を元の状態に戻すよう制御するものであることを特徴とする歯科診療装置。
【発明の詳細な説明】
【技術分野】
【０００１】
本発明は、患者の口腔内を照明する機能と、歯牙のう蝕部、欠損部、歯石或いは歯垢等の非健全部から蛍光を発する励起光を照射する機能とを備えた歯科用照明装置及び歯科診療装置に係り、詳しくは、励起光の照射時に照明光の光量調整をすることが可能とされた歯科用照明装置及び歯科診療装置に関する。
【背景技術】
【０００２】
歯科用照明装置は一般に歯科用無影灯と称されるものであり、歯科診療装置は、無影灯と、診断機器、各種治療機器を動作制御させる為の装置、その他の機器等によって構成される。上記無影灯は、上下或いは水平旋回可能なハンガーアームの先端に取付けられ、歯科診療台上の患者の口腔内を明るく照らす為に、術者によってその移動操作がなされる。最近では、無影灯の光が治療作業に影響を及ぼす場合に、その治療作業の状況に応じて無影灯の照射調整が自動的になされるようにした歯科診療ユニットも提案され実用化されるようになった。
【０００３】
特許文献１は、上記のような歯科診療装置の一例を示すものであり、コンポジットレジンを光重合させる為の光重合器を操作した時に、無影灯の照射光量の自動調整がなされるようにしたものである。また、特許文献２は、デンタルライトを非接触スイッチで点灯・消灯制御するようにしたものである。
【特許文献１】特開２００３−１０２１３号公報
【特許文献２】実公平７−１１２５号公報
【発明の開示】
【発明が解決しようとする課題】
【０００４】
近時、特定の照射光による光学的作用によって、非健全部位を視覚的にクローズアップさせて観察し得るような光照射器が開発され、歯科の診断に用いられるようになった。即ち、特定波長（例えば、４００±３０ｎｍ）の光を励起光として歯牙の非健全部に照射すると、この非健全部から特有の蛍光を発することが知見され、通常の無影灯の照射だけでは見えない非健全部の状態が蛍光放射によってクローズアップされ、鮮明に視認されることから、励起光を発する専用の照射器が開発され実用化されるようになった。しかし、この照射器を使用する際に無影灯が点灯していると、その照明光によって埋没し、上記蛍光像が鮮明に視認されにくくなる。その為、術者は励起光照射器を操作する際、無影灯の光量調整を手動で行わざるを得ず、精神的な負担を伴うと共に診療作業の効率化を損なう原因ともなっていた。特許文献１は、光重合器の操作時に、無影灯の照射光量の自動調整を行うものであるが、励起光照射器の操作時に無影灯の照射光量の自動調整をするものではなく、またそれを示唆するものではない。
【０００５】
本発明は、上記に鑑みなされたものであり、励起光の照射に併せて、照明光の光量を自動的に調整し得るようにした新規な歯科用照明装置及び歯科診療装置を提供する点にある。
【課題を解決するための手段】
【０００６】
請求項１の発明に係る歯科診療用照明装置は、患者の口腔内を照明する歯科用照明装置であって、照明光照射手段と、照明光量制御部と、口腔内の非健全部より蛍光を放射させる励起光照射手段と、該励起光照射手段の状態を検出する検出制御部と、該検出制御部の状態検出情報に基づき前記照明光量制御部へ信号を出力する信号出力部とを備え、照明光量制御部は、前記信号出力部からの出力信号に基づいて照明光の光量を調節するようにしたことを特徴とする。
【０００７】
本発明においては、請求項２の発明のように、前記励起光照射手段が、励起光を点灯・消灯する為のスイッチを備え、前記検出制御部による状態検出情報は、このスイッチのオン・オフ情報とすることができる。この励起光の点灯・消灯を切替えるスイッチは、特許文献２の照明装置のように、非接触スイッチとすることで、衛生性を高めてもよい。さらに、この場合、請求項３の発明のように、前記照明光量制御部は、照明光が点灯中における前記検出制御部によるスイッチのオン情報により照明光の光量を下げ、その後の当該スイッチのオフ情報により照明光の光量を元の状態に戻すよう制御するものであることが望ましい。また、請求項４の発明のように、前記励起光を点灯・消灯する為のスイッチは、前記励起光照射手段と分離し、例えばハンドピースのような診療器具に装着するアダプタの形で構成されることで、術者は手元で励起光の点灯・消灯、及びそれに連動する照明光の光量調整を行うことができ、より術者の便宜を図ることができる。
【０００８】
請求項５の発明に係る歯科診療装置は、患者の口腔内を照明する照明装置と、口腔内の非健全部より蛍光を放射させる励起光照射装置とを備えた装置であって、上記照明装置は、照明光照射手段と、照明光量制御部とを備え、一方上記励起光照射装置は、励起光照射器と、該照射器の状態を検出する検出制御部と、該検出制御部の状態検出情報に基づき前記照明光量制御部へ信号を出力する信号出力部とを備え、照明光量制御部は、前記信号出力部からの出力信号に基づいて照明光の光量を調節するようにしたことを特徴とする。
【０００９】
本請求項５の発明においては、請求項６の発明のように、前記励起光照射装置が、励起光を点灯・消灯する為のスイッチを備え、前記検出制御部による状態検出情報は、このスイッチのオン・オフ情報とすることができる。この励起光の点灯・消灯を切替えるスイッチは、特許文献２の照明装置のように、非接触スイッチとすることで、衛生性を高めてもよい。さらに、この場合、請求項７の発明のように、前記照明光量制御部は、照明光が点灯中における前記検出制御部によるスイッチのオン情報により照明光の光量を下げ、その後の当該スイッチのオフ情報により照明光の光量を元の状態に戻すよう制御するものであることが望ましい。また、請求項８の発明のように、前記励起光を点灯・消灯する為のスイッチは、前記励起光照射装置と分離し、例えばハンドピースのような診療器具に装着するアダプタの形で構成されることで、術者は手元で励起光の点灯・消灯、及びそれに連動する照明光の光量調整を行うことができ、より術者の便宜を図ることができる。
【００１０】
また、請求項５の発明においては、請求項９の発明のように、前記励起光照射器が、前記検出制御部を有する専用ホルダーに着脱自在に設置され、上記検出制御部による状態検出情報は、該専用ホルダーにおける励起光照射器の設置状態の検出情報とすることができる。この場合、請求項１０の発明のように、前記照明光量制御部は、照明光が点灯中における前記検出制御部による励起光照射器が専用ホルダーから取外されたとの情報により照明光の光量を下げ、その後の励起光照射器の専用ホルダーへの設置情報により照明光の光量を元の状態に戻すよう制御するものであることが望ましい。
【００１１】
尚、上記発明において、照明光の光量を下げるとは、照明光の光量を少なくする（光強度を弱くする）こと、或いはゼロにすることをも含む概念として用いている。
【発明の効果】
【００１２】
請求項１の発明によれば、照明光量制御部は、励起光照射手段の状態検出情報に基づいて照明光の光量を調節するようになされているから、例えば、請求項２の発明のように、励起光を点灯・消灯する為のスイッチのオン・オフ情報を励起光照射手段の状態検出情報とし、このオン・オフ情報によって、照明光の光量を調節するよう構成することができる。この励起光の点灯・消灯を切替えるスイッチを、非接触スイッチとすることもできる。更に具体的には、請求項３の発明のように、照明光が点灯中における励起光点灯スイッチのオン情報により照明光の光量を下げ、その後の当該スイッチのオフ情報により照明光の光量を元の状態に戻すよう制御する構成とすることができる。また、励起光の点灯・消灯を切替えるスイッチを、請求項４の発明のように励起光照射手段と分離することで、例えば歯科用ハンドピース上に設け、術者の手元で励起光の点灯・消灯を切替える構成とすることができる。
【００１３】
従って、励起光照射時における照明光の光量調整を自動的に行うことができ、励起光照射による非健全部の蛍光像が照明光の影響を受けず、鮮明に視認される状態に自動的に設定されるから、非健全部の観察診療が円滑且つ的確になされる。しかも、励起光照射手段は、照明装置の一構成部をなすから、既設の照明装置（無影灯等）に組込むことができ、励起光照射手段の設置場所を別途確保する必要がない。
【００１４】
請求項５の発明によれば、励起光照射器を含む励起光照射装置が照明装置とは別体とされるから、照明装置と励起光照射装置とを含めた歯科診療ユニットのレイアウトを勘案して励起光照射器を扱い易い位置に任意に設置することができる。また、励起光照射器をハンドピースタイプのように構成すれば、術者の手持操作によって歯牙の目的部位に近付けて励起光を照射することができる。
【００１５】
そして、上記同様、照明光量制御部は、励起光照射器の状態に基づいて照明光の光量を調節するようになされているから、例えば、請求項６の発明のように、励起光を点灯・消灯する為のスイッチのオン・オフ情報を励起光照射器の状態検出情報とし、このオン・オフ情報によって、照明光の光量を調節するよう構成することができる。この励起光の点灯・消灯を切替えるスイッチを、非接触スイッチとすることもできる。更に具体的には、請求項７の発明のように、照明光が点灯中における励起光点灯スイッチのオン情報により照明光の光量を下げ、その後の当該スイッチのオフ情報により照明光の光量を元の状態に戻すよう制御する構成とすることができる。また、励起光の点灯・消灯を切替えるスイッチを、請求項８の発明のように励起光照射装置と分離することで、例えば歯科治療用ハンドピース上に設け、術者の手元で励起光の点灯・消灯を切替える構成とすることができる。従って、励起光照射時における照明光の光量調整を自動的に行うことができ、励起光照射による非健全部の蛍光像が照明光の影響を受けず、鮮明に視認される状態に自動的に設定されるから、非健全部の観察診療が円滑且つ的確になされる。
【００１６】
また、請求項９或いは請求項１０の発明のように、励起光照射器の状態検出情報を、専用ホルダーにおける励起光照射器の設置状態情報とし、更に、励起光照射器が専用ホルダーから取外されたとの情報により照明光の光量を下げ、その後の励起光照射器の専用ホルダーへの設置情報により照明光の光量を元の状態に戻すよう制御するようにすれば、術者による励起光照射器のハンドリング操作（励起光照射器の取上げ或いは戻し操作）だけで、照明光の光量調整が自動的になされるから、術者の精神的負担が少なく、診療作業の円滑性が図られる。
【発明を実施するための最良の形態】
【００１７】
以下、本発明の最良の形態について図面に基づき説明する。図１は本発明の歯科用照明装置を含む歯科診療ユニットの一例を示す概略的全体斜視図、図２は図１におけるＸ部の拡大図、図３は図２の側面図、図４は励起光を照射した時に視覚される歯牙の状態を示す説明図、図５は波長４０６ｎｍの励起光を歯牙に照射した場合に、歯牙から放射される光（蛍光）のスペクトル分布を示す図、図６（ａ）（ｂ）は照明光量の制御ブロック図、図７（ａ）（ｂ）（ｃ）は励起光照射と照明光の光量との関係を示すタイムチャート図、図８は別実施形態の図１と同様図、図９は同実施形態における使用状態を示す説明図、図１０（ａ）（ｂ）は同実施形態の変形例を示す要部の概略斜視図、図１１は同変形例の別例を示す要部の概略斜視図、図１２は同実施形態の第２の変形例の概略部分斜視図、図１３は第１及び第２実施形態の一部変形例における要部の概略斜視図である。
【実施例１】
【００１８】
図１に示す歯科診療ユニットＡにおいて、歯科用診療台１は、基台１ａと、該基台１ａ上に昇降自在に設置された座板１ｂと、該座板１ｂの一端に起伏自在に連設された背板１ｃと、該背板１ｃの起伏端に傾倒自在に設置されたヘッドレスト１ｄとよりなる。背板１ｃの側部には、トレーテーブル２が水平旋回自在な支持アーム２ａを介して水平移動可能に支持されている。該支持アーム２ａには、背板１ｃの起伏位置に関わらずトレーテーブル２が常に水平位置を維持し得る為の不図示の機構（例えば、平行リンク機構）が内蔵されている。また、背板１ｃの肩部には、歯科診療に用いられるエアタービンハンドピース、マイクロモータハンドピース、スリーウェイシリンジ等の各種ハンドピース３…が、繰出し自在に保持されている。
【００１９】
歯科用診療台１の側部には、うがい用スピットン４が設置され、該スピットン４に隣接して、本発明の照明装置としての無影灯５が配設されている。多関節のハンガーアーム５０ａは、支柱５０の上端に、支柱５０及び歯科用診療台１に対して上下及び水平移動可能に連設されており、前記無影灯５は、ハンガーアーム５０ａの先端に、首振り自在に取付けられている。歯科用診療台１の側部床面にはフートコントローラ６が配備され、該フートコントローラ６は、診療台１の昇降、起伏、傾倒動作スイッチ、各種ハンドピース３…の作動スイッチ等を備え、術者等の足踏み操作によって、これらのオン・オフ制御がなされる。
【００２０】
無影灯５は、照明光及び励起光を照射する機能を備え、術者が上記ハンガーアーム５０ａをして無影灯５を引き寄せ操作し、また無影灯５自体を首振り操作することによって、歯科用診療台１上の患者の口腔内に照射光が向くよう、その位置及び向きが設定される。図２、図３に詳細に示すように、該無影灯５は、複数のミラーセグメントからなる鏡面板５ａを湾曲内面に備えたフレーム５ｂと、該鏡面板５ａの湾曲中心部付近に取付けられた複数のＬＥＤからなる光源７と、該光源７をオン・オフ制御する制御ボックス１０とよりなり、上記ハンガーアーム５０ａの先端に回動自在に連設された弓形支持ブラケット５０ｂに対し、５０ｃのようにヒンジ結合されているため、該無影灯５はハンガーアーム５０ｂに対して首振り自在に支持されている。上記鏡面板５ａは、複数のミラーセグメントによる照射光のランダムな反射をして、無影灯としての機能を奏するものである。フレーム５ｂの両端には術者が手操作し得る把手５ｃが形成されている。
【００２１】
上記光源７は、照明光照射手段８０（図６参照）を構成する発光源としての４個の白色ＬＥＤ８と、励起光照射手段９０（図６参照）を構成する発光源としての４個の紫色ＬＥＤ９（図２ではクロスハッチング部）とを図２のように千鳥状に配してなる。制御ボックス１０は、メインスイッチ１０ａと、白色ＬＥＤ用（照明光用）スイッチ８ａと、紫色ＬＥＤ用（励起光用）スイッチ９ａとを備えている。白色ＬＥＤ８は、ブロードな波長特性を有する照明光用ＬＥＤであり、一方紫色ＬＥＤ９は、波長が４００±３０ｎｍの光を発する励起光用ＬＥＤである。上記メインスイッチ１０ａをオンとした上で、白色ＬＥＤ用スイッチ８ａをオンすると４個の白色ＬＥＤ８が点灯し、また、紫色ＬＥＤ用スイッチ９ａをオンすると４個の紫色ＬＥＤ９が点灯する。両スイッチ８ａ、９ａをオンすると、全てのＬＥＤ８、９が点灯する。この例では、白色ＬＥＤ８と白色ＬＥＤ用スイッチ８ａとにより照明光照射手段８０が構成され、紫色ＬＥＤ９と紫色ＬＥＤ用スイッチ９ａとにより励起光照射手段９０が構成される（図６参照）。尚、ここで述べたオン・オフ用スイッチは、非接触スイッチ（不図示）とすることで衛生性を高めることも考えられる。非接触スイッチの設置場所としては、例えば、無影灯５のフレーム５ｂ上が考えられる。
【００２２】
歯科診療時に、術者は上記把手５ｃを把持し引き寄せるようにして、無影灯５を患者の口腔内に向け位置付け、メインスイッチ１０ａをオンした上で、白色ＬＥＤ用スイッチ８ａをオンし、白色ＬＥＤ８を点灯させて口腔内を照明する。照明光で口腔内を照らしながら口腔内を観察し、紫色ＬＥＤスイッチ９ａをオンし紫色ＬＥＤ９を点灯させて、その照射野を目的の歯牙に向けると共に、紫色ＬＥＤ９の発する励起光を目的歯牙（非健全部）に照射する。この場合、照明光によって、目的歯牙の周辺の状態が明瞭に視認され、目的歯牙の位置関係等も的確に把握されると共に、励起光の照射によって目的歯牙の非健全部（う蝕、歯石、歯垢等）から放射される特有の蛍光によって、クローズアップされた非健全部が明瞭に視認される。紫色ＬＥＤ９の点灯時に白色ＬＥＤ８が点灯していると、励起光による蛍光像が照明光によって埋没され、不鮮明になることがあるので、本発明では、後記するように、白色ＬＥＤ８が点灯中に紫色ＬＥＤ９が点灯されると、白色ＬＥＤ８の発光光量を低下させるよう制御される。
【００２３】
図４は、励起光を非健全部を有する歯牙ｔに照射した時に視覚される蛍光像を示すものであり、歯牙ｔの表面に存在する非健全部ｔ１、内部に存在する非健全部ｔ２のいずれもが、オレンジ色乃至橙色に発光してその状態及び位置等が明瞭に視認される。従って、術者は、励起光を照射した状態で、このクローズアップされた非健全部ｔ１、ｔ２に対し、前記各種ハンドピース３を作用させるなどして適切な診療処置を講じることができる。この時、非健全部ｔ１、ｔ２の周辺部からの励起光の反射光によって蛍光画像が不鮮明になる場合、術者は、励起光をカットするようなフィルタ機能を備えた眼鏡若しくはゴーグル等を着装すれば、蛍光像をより鮮明に視認・観察することができる。また、このような波長特性の受光フィルタを備えた適宜撮像手段で撮像し、これをモニターディスプレイに再生・表示することによって患者に対する説明用ツールとして活用することができる。
【００２４】
図５は、波長４０６ｎｍの励起光を歯牙に照射した場合に、歯牙から放射される光（蛍光）のスペクトル分布を示すものである。図において、健康な歯の場合には蛍光の波長増加に伴って放射線強度Ｉは次第に低下する傾向を示しているが、う蝕部分や歯垢、歯石等の非健全部においては、蛍光の波長に対する放射線強度Ｉは３箇所（６３６ｎｍ、６７３ｎｍ、７００ｎｍ）にピークが出る蛍光スペクトルを呈する。また、実験によれば、これ以外にもオレンジ色乃至橙色の蛍光も発することが確認されている。従って、観察対象部位においてこのような蛍光を発している部分が視認できれば、その部分がう蝕等の非健全部であるとの判定が的確になされる。
【００２５】
図６（ａ）（ｂ）は、照明光の光量制御ブロック図を示し、励起光照射手段９０は、励起光発光部としての紫色ＬＥＤ９、その発光制御部としての励起光用スイッチ９ａよりなり、この励起光照射手段９０には該励起光用スイッチ９ａのオン・オフを検出する検出制御部９ｂ及び検出信号を出力する信号出力部９ｃが付設されている。励起光スイッチ９ａは、図６（ａ）に示すように励起光照射手段９０と一体に設けてもよいし、図６（ｂ）に示すように励起光照射手段と別体とし、信号出力部９ｃと無線で通信を行う構成にしてもよい。また、照明光照射手段８０は、照明光発光部としての白色ＬＥＤ８と、その発光制御部としての照明光用スイッチ８ａとよりなり、該照明光照射手段８０には照明光量制御部８ｂが付設されている。そして、この照明光照射手段８０、照明光量制御部８ｂ、励起光照射手段９０、検出制御部９ｂ及び信号出力部９ｃによって無影灯（照明装置）５が構成される。
【００２６】
而して、上記のような歯科診療において、照明光用スイッチ８ａを操作して白色ＬＥＤ８を点灯させ、口腔内に照明光を照射中に、励起光用スイッチ９ａを操作し、紫色ＬＥＤ９を点灯させると、励起光用スイッチ９ａのオン情報は、検出制御部９ｂによって検出され、出力信号部９ｃに入力される。出力信号部９ｃは、このオン情報をオン信号として出力し、照明光量制御部８ｂは、このオン信号を入力すると、予め定められたダウンモードで白色ＬＥＤ８の発光光量を低下させるよう制御する。従って、紫色ＬＥＤ９を点灯させて励起光の照射中は、蛍光像が照明光に埋没するような影響が回避され、励起光の照射による非健全部の蛍光像が鮮明に視認・観察される。また、励起光用スイッチ９ａがオフにされると、このオフ情報が検出制御部９ｂによって検出され、出力信号部９ｃからオフ信号として照明光量制御部８ｂに入力され、白色ＬＥＤ８の発光光量が元の状態に戻される。
【００２７】
図７（ａ）（ｂ）（ｃ）は、励起光照射と照明光量のタイムチャートの種々のパターンを示すものであり、縦軸は発光光量、横軸は時間を示す。図７（ａ）においては、照明光源としての白色ＬＥＤ８が点灯中、励起光源としての紫色ＬＥＤ９が点灯オンされると、白色ＬＥＤ８の発光光量が直ちに所定の値にダウンし、紫色ＬＥＤ９が点灯中この低い状態に維持される。そして、紫色ＬＥＤ９が点灯オフされると、白色ＬＥＤ８の発光光量が直ちに元の状態に復帰する。
【００２８】
図７（ｂ）においては、白色ＬＥＤ８が点灯中、紫色ＬＥＤ９が点灯オンされると、白色ＬＥＤ８が直ちにオフとされ、紫色ＬＥＤ９が点灯中このオフ状態に維持される。そして、紫色ＬＥＤ９が点灯オフされると、白色ＬＥＤ８がオンとされ、発光光量が予め設定されたスローアップモードで元の状態に復帰する。このように、白色ＬＥＤ８の発光光量を元の状態に復帰させる際に、スローアップさせるようにすれば、患者が不快感を伴わずに光量変化に対応することができる。特に、ＬＥＤは発光強度が強いので、患者の眩しさを緩和する為にも、このようなスローアップモードは、望ましく採用される。
【００２９】
図７（ｃ）においては、白色ＬＥＤ８が点灯中、紫色ＬＥＤ９が点灯オンされると、白色ＬＥＤ８の発光光量が予め設定されたスローダウンモードで所定の値に低下し、紫色ＬＥＤ９が点灯中この低い状態に維持される。そして、紫色ＬＥＤ９が点灯オフされると、白色ＬＥＤ８の発光光量が予め設定されたスローアップモードで元の状態に復帰する。このように、スローダウンモード及びスローアップモードでの照明光の光量制御を行うようにすれば、患者は、急激な光量変化による不快感を伴うことなく、診療を受けることができる。尚、図には示さないが、紫色ＬＥＤ９の点灯オン・オフ時にも、その発光光量をスローアップ或いはスローダウンさせるようにすれば、患者は光量変化に順応してより快適な診療を受けることができる。
【００３０】
上記照明光の光量制御は、励起光用スイッチ９ａのオン・オフ情報をトリガーとして、照明光量制御部８ｂにおいて予め設定された光量ダウン或いはアップモードに基づきなされるものであり、術者は励起光用スイッチ９ａをオン・オフ操作するだけで、自動的に照明光の光量が調整され、励起光照射による蛍光観察下における診療及び照明光による通常診療の切替がスムースになされると共に、夫々に適した照射状態が維持され、術者の精神的負担が軽減される。
【実施例２】
【００３１】
図８及び図９は別実施形態の歯科診療ユニットＢ及びその使用状態を示し、歯科診療台１の背板１ｃの側部に、ユニットテーブル２０が水平旋回自在な支持アーム２０ａを介して水平移動可能に支持されている。該ユニットテーブル２０の側部には、ハンドピースホルダー３０が付設され、上記同様の各種ハンドピース３…が取出し自在に係止保持されている。また、このハンドピースホルダー３０には、ハンドピースタイプの励起光照射器９１が他のハンドピース３…と同様に取出し自在に係止保持されている。各種ハンドピース３…の作用媒体（電気、圧縮空気、水等）の供給ホース３ａ、励起光照射器９１の電力供給用ケーブル９１ａは、歯科用診療台１内に設置されたこれらの供給源（不図示）から、支持アーム２０ａ内を経て、ユニットテーブル２０の他側部から導出され、各種ハンドピース３…及び励起光照射器９１の基部に連接されている。
【００３２】
該励起光照射器９１のヘッド部には、励起光の光源としての上記同様の紫色ＬＥＤ９を備え、また、グリップ部には、励起光の発光制御部としての励起光用スイッチ９ａが設けられている。該グリップ部内には、この励起光用スイッチ９ａのオン・オフ情報を検出する検出制御部及び信号出力部（図６における検出制御部９ｂ及び信号出力部９ｃと同等）が内蔵されており、励起光照射器９１、励起光用スイッチ９ａ、検出制御部及び信号出力部によって励起光照射装置が構成される。
【００３３】
本実施例の励起光照射器９１としては、本出願人に係る特開２００４−２３７０８１号公報で提案したような診断用撮影器が望ましく採用される。即ち、本励起光照射器９１は、上記のように励起光の照射手段の他に撮像手段（不図示）を内蔵し、励起光の照射による非健全部位の蛍光画像を撮像手段で撮影し、撮影データを、例えば、図８、図９のように無影灯５１の支柱５０に設置されたモニターディスプレイ１１に再生・表示して患者に対する説明用ツールとして用い、或いは、パーソナルコンピュータ（不図示）に取込み、カルテデータとして保存できるようになされている。
【００３４】
また、歯科診療台１の上方には、照明光照射手段を構成する複数の白色ＬＥＤ８を照明光の光源として備える無影灯（照明装置）５１が、上記同様支柱５０及びハンガーアーム５０ａに支持されている。該無影灯５１は、実施例１の無影灯５と同様の鏡面板５ａからなるフレーム５ｂを備えると共に、ハンガーアーム５０ａの先端に回動自在に連設された弓形支持ブラケット５０ｂに５０ｃのようにヒンジ結合されて、首振り自在に支持されている。そして、鏡面板５ａの湾曲中心部付近に上記複数の白色ＬＥＤ８が取付けられている。フレーム５ｂの下辺部には制御ボックス１０が設けられ、該制御ボックス１０には、照明光の発光制御部としての照明光用スイッチ８ａと、照明光量制御部（図６における照明光量制御部８ｂと同等）とが装備されている。上記白色ＬＥＤ８と、照明光用スイッチ８ａとにより、照明光照射手段（図６の照明光照射手段８０と同等）が構成される。
【００３５】
本実施例の歯科診療ユニットＢにおいて、口腔内の観察診療を行う場合、図９に示すように、術者Ｄは、患者Ｐを歯科診療台１に着座させ、無影灯５１を引寄せ操作して患者Ｐの口腔内に向くよう位置付ける。そして、照明光用スイッチ８ａをオンし、白色ＬＥＤ８を点灯させて照明光を患者の口腔内に照射する。照明光の照射を続けながら、非健全部に励起光を照射する必要が生じた時は、励起光照射器９１をハンドピースホルダー３０から取出し、励起光用スイッチ９ａをオンする。このスイッチオン情報は図６に示す検出制御部９ｂで検出され、信号出力部９ｃより、照明光量制御部８ｂに入力され、照明光源としての白色ＬＥＤ８の光量の低下がなされる。また、励起光用スイッチ９ａがオフされると、このスイッチオフ情報に基づき白色ＬＥＤ８の光量が元の状態に戻るよう制御される。この時、励起光照射器９１に設けられた撮像スイッチ（不図示）をオンして、その撮像データを図９に示すように、モニターディスプレイ１１に再生・表示させることができる。
【００３６】
本実施例における励起光の照射と照明光の光量調整のシーケンスも、図７に示すような種々のタイムチャートに基づきなされる。この場合も、励起光用スイッチ９ａのオン・オフ情報をトリガーとして、照明光量制御部８ｂにおいて予め設定された光量ダウン或いはアップモードに基づきなされるが、ハンドピースホルダー３０に、励起光照射器９１の有無検出手段（不図示）を設け、この検出手段による励起光照射器９１が取外されたとの情報により、照明光の光量を下げ、その後の励起光照射器９１の設置情報により同光量を元の状態に戻すよう構成することも可能である。
【００３７】
図１０（ａ）（ｂ）は、実施例２の変形例を示すものであり、上記同様の励起光照射器９１が、専用ホルダー１２に着脱自在に設置される例を示すものである。この専用ホルダー１２は、前記ユニットテーブル２０上或いは周辺のキャビネット（不図示）上等に、術者が扱い易い位置に必要な時に置かれて使用されるものであり、器台１２ａと、その上面に形成され励起光照射器９１のグリップ部を保持する保持台１２ｂとよりなる。そして、保持台１２ｂの保持面には検出スイッチ１２ｃが設けられ、励起光照射器９１の有無を検出する。即ち、この保持台１２ｂに励起光照射器９１が置かれているか、取外されたか否かの情報を該検出スイッチ１２ｃが検出し、器台１２ａに内蔵される検出制御部（図６における検出制御部９ｂと同等）による検出情報が、同じく器台１２ａに内蔵される信号出力部（同信号出力部９ｃと同等）から、器台１２ａに接続されたケーブル１２ｄを介して、無影灯５１の照明光量制御部（（図６の照明光量制御部８ｂと同等）に検出信号が出力される。
【００３８】
従って、検出スイッチ１２ｃの検出情報に基づき、無影灯５１により照明光を照射中に、励起光照射器９１が専用ホルダー１２の保持台１２ｂから取外された時には、照明光の光量を低下させ、また、励起光照射器９１が、保持台１２ｂに設置された時には照明光の光量を元の状態に戻すよう制御することができる。このように、励起光照射器９１の取外し後の励起光用スイッチ９ａのオン操作により、紫色ＬＥＤ９を点灯させ、その励起光を非健全部に照射すれば、照明光の影響を受けない鮮明な蛍光像を視認・観察することができる。このような励起光の照射と照明光の光量調整のシーケンスも、図７に示すような種々のタイムチャートに基づきなされることは上記と同様である。尚、この場合、上記励起光用スイッチ９ａのオン・オフ情報と、上記検出スイッチ１２ｃの検出情報とのアンド情報により、照明光の光量調整を行うようにしても良い。
【００３９】
図１１に示す例は、専用ホルダー１２の器台１２ａに対して、保持台１２ｂがマグネット１２ｅを介して着脱可能とされている。該保持台１２ｂの保持面には上記同様検出スイッチ１２ｃが設けられ、更に、該保持台１２ｂには検出制御部（図６における検出制御部９ｂと同等）及び信号出力部（同信号出力部９ｃと同等）が内蔵されている。この信号出力部からの出力信号は、無線で無影灯５１（図８、図９参照）の照明光量制御部に出力されるようになされている。従って、保持台１２ｂは上記器台１２ａに限らず、歯科診療台１の周辺の術者が扱い易い位置、例えばキャビネット引出し（不図示）の磁性金属部分に、マグネット１２ｅの吸着作用をして装着し、その位置で励起光照射器９１を保持させることができる。
【００４０】
この例においても、照明光の点灯中に、保持台１２ｂから励起光照射器９１を取外すと、照明光の光量が低下し、励起光照射器９１を保持台１２ｂに設置すると照明光の光量が元の状態に戻るように制御することができる。従って、励起光の照射時には、照明光の影響を回避することができ、非健全部の蛍光像を鮮明に視認・観察することができる。そして、このような励起光の照射と照明光の光量調整のシーケンスも、図７に示すような種々のタイムチャートに基づきなされることは上記と同様である。更に、この例では、保持台１２ｂを任意の位置に設置することができるから、術者の診療作業に幅ができ、診療作業の効率化にも寄与する。
【００４１】
図１２に示す例は、本実施例の第２の変形例を示すものであり、無影灯５１と別に励起光照射手段９０が、診療台１の肩口に設置された例を示すものである。この例においては、スイッチ９ａを操作することで、励起光照射器９１より励起光を照射するよう構成され、検出制御部（図６における検出制御部９ｂと同等）及び信号出力部（同信号出力部９ｃと同等）が励起光照射器９１あるいは診療台１の中に内蔵されている。この信号出力部からの出力信号は、診療台内の配線を通じて、あるいは無線で無影灯５１の照明光量制御部に出力されるようになされている。従って、励起光の照射時には、照明光の影響を回避することができ、非健全部の蛍光像を鮮明に視認・観察することができる。そして、このような励起光の照射と照明光の光量調整のシーケンスも、図７に示すような種々のタイムチャートに基づきなされることは上記と同様である。
【００４２】
尚、上記各実施例においては、図１３に示すように、励起光照射スイッチ９ａを各種ハンドピースのような歯科用診療器具に設けるためのアダプタ型としてもよい。これにより、励起光照射のオン・オフ及びそれに伴う照明光の光量調整を、術者が手元で行うことができ、非常に便利である。
【００４３】
また、上記各実施例においては、照明光或いは励起光の光源７として、ＬＥＤ以外に、ハロゲンランプ、メタルハライドランプ、キセノンランプ、水銀ランプ、レーザダイオード、半導体レーザ、固体レーザ発振器及びレーザ発振器のいずれかが採用可能である。レーザ発振器を用いる場合は、別設置されたレーザ発振部から適当なライトガイドで各照射部まで導光させることが必要である。また、ＬＥＤも一つの波長のものに限らず、複数の異なる波長の光を発するＬＥＤを配列し、これらを同時または選択的に発光させるようにしても良いし、ベアチップを用いて出力調整するようにしても良い。
【００４４】
更に、反射部材及びレンズの組合せにより、光源からの略全ての光を所定の照射域に指向させるようになすこと（本出願人に係る特開２００４−３５５８５２号公報参照）も可能である。また、照明光或いは励起光の点灯オン・オフスイッチをフートコントローラ６に設けてもよい。加えて、照明装置が無影灯である例について述べたが、無影灯機能のない照明装置や、スポット的に照射する照明装置、更には歯科診療台１の背板１ｃの側部に固定された可撓性のある支持体に支持された照明装置、或いは室内灯等であってもよい。
【図面の簡単な説明】
【００４５】
【図１】本発明の歯科診療ユニットの一例を示す概略的全体斜視図である。
【図２】図１におけるＸ部の拡大図である。
【図３】図２の側面図である。
【図４】励起光を照射した時に視覚される歯牙の状態を示す説明図である。
【図５】波長４０６ｎｍの励起光を歯牙に照射した場合に、歯牙から放射される光（蛍光）のスペクトル分布を示す図である。
【図６】（ａ）（ｂ）は照明光量の制御ブロック図である。
【図７】（ａ）（ｂ）（ｃ）は励起光照射と照明光の光量との関係を示すタイムチャート図である。
【図８】別実施形態の図１と同様図である。
【図９】同実施形態における使用状態を示す説明図である。
【図１０】（ａ）（ｂ）は同実施形態の変形例を示す要部の概略斜視図である。
【図１１】同変形例の別例を示す要部の概略斜視図である。
【図１２】同実施形態の第２の変形例の概略部分斜視図である。
【図１３】第１及び第２実施形態の一部変形例における要部の概略斜視図である。
【符号の説明】
【００４６】
１      歯科用診療台
５      無影灯（照明装置）
５１    無影灯（照明装置）
８      白色ＬＥＤ（照明光源）
８ａ    照明光用スイッチ
８ｂ    照明光量制御部
８０    照明光照射手段
９      紫色ＬＥＤ（励起光源）
９ａ    励起光用スイッチ
９ｂ    検出制御部
９ｃ    信号出力部
９０    励起光照射手段
９１    励起光照射器
１２    専用ホルダー
Ａ      歯科診療ユニット
Ｂ      歯科診療ユニット
【図１】
2006345908.tif 000003
【図２】
2006345908.tif 000004
【図３】
2006345908.tif 000005
【図４】
2006345908.tif 000006
【図５】
2006345908.tif 000007
【図６】
2006345908.tif 000008
【図７】
2006345908.tif 000009
【図８】
2006345908.tif 000010
【図９】
2006345908.tif 000011
【図１０】
2006345908.tif 000012
【図１１】
2006345908.tif 000013
【図１２】
2006345908.tif 000014
【図１３】
2006345908.tif 000015